(57)【要約】【課題】バタフライ弁の弁箱内へのシートリングを形成する際の作業性を向上させる。【解決手段】バタフライ弁の弁箱１０内に第一、第二金型１７、１８を嵌め、弁箱１０の内面と第一、第二金型１７、１８の外面との間に形成したシートリング形成用のキャビティ２１につながる注入孔２２を第一金型１７に設け、プランジャ２３をプレス装置４０により注入孔２２に押し込むことによりシートリング１３を形成する。その後、第一金型１７を弁箱１０から離れないように共上がり防止治具２４を固定し、プランジャ２３を、前記プレス装置４０により、引き上げて注入孔２２から引き出す。共上がり防止治具２４を取り外し、プランジャ２３をさらに引き上げて、プランジャ２３と第一金型１７とを連結する第一連結具３１を介して第一金型１７を弁箱１０から引き外す。さらにプランジャ２３を引き上げて、プランジャ２３と弁箱１０とを連結する第二連結具３４を介して弁箱１０を引き上げ、その弁箱１０を第二金型１８から引き外す。【選択図】図４
2008298190.tif 000002
【特許請求の範囲】
【請求項１】
バタフライ弁の弁箱(１０)内にその弁箱(１０)の管軸方向の両側から第一金型(１７)と第二金型(１８)とを嵌め、前記弁箱(１０)の内面と前記第一金型(１７)及び第二金型(１８)の外面との間にシートリング形成用のキャビティ(２１)を形成し、前記第一金型(１７)及び第二金型(１８)を前記弁箱(１０)内に嵌めた状態で、前記第一金型(１７)に前記キャビティ(２１)につながり前記弁箱(１０)の外に開口する注入孔(２２)を設け、その注入孔(２２)の前記開口からその内部に向かって抜き差し可能なプランジャ(２３)を設け、前記注入孔(２２)に未加硫のゴムを注入して、前記プランジャ(２３)を前記注入孔(２２)に押し込み、前記キャビティ(２１)内に未加硫のゴムを供給し、その供給したゴムを加硫することにより、シートリング(１３)を形成し、その後、前記第一金型(１７)及び第二金型(１８)を前記弁箱(１０)から引き外すバタフライ弁のシートリング形成方法において、
前記シートリング(１３)形成後、前記第一金型(１７)を前記弁箱(１０)から離れないように共上がり防止治具(２４)で固定し、前記プランジャ(２３)と前記第一金型(１７)とを第一連結具(３１)を介して管軸方向に相対移動可能に連結し、前記プランジャ(２３)を前記弁箱(１０)から引き外す方向に引っ張ることにより、前記注入孔(２２)から前記プランジャ(２３)を引き出し、前記共上がり防止治具(２４)の固定を解除し、前記プランジャ(２３)を前記弁箱(１０)から引き外す方向にさらに引っ張ることにより前記第一連結具(３１)を介して前記第一金型(１７)を前記弁箱(１０)から引き外し、その後、前記弁箱(１０)を前記第二金型(１８)から引き外す方向に引っ張ることにより、その弁箱(１０)を前記第二金型(１８)から引き外すことを特徴とするバタフライ弁のシートリング形成方法。
【請求項２】
前記プランジャ(２３)と前記弁箱(１０)とを第二連結具(３４)で管軸方向に相対移動可能に連結し、前記第一金型(１７)を前記弁箱(１０)から引き外した後、前記プランジャ(２３)を前記第二金型(１８)から引き外す方向に引っ張ることにより、前記第二連結具(３４)を介して前記弁箱(１０)を前記第二金型(１８)から引き外すようにしたことを特徴とする請求項1に記載のバタフライ弁のシートリング形成方法。
【請求項３】
前記第一連結具(３１)に、前記プランジャ(２３)が前記注入孔(２２)から完全に抜け出ないように止めるストッパを設けたことを特徴とする請求項１または２に記載のバタフライ弁のシートリング形成方法。
【請求項４】
前記第一連結具(３１)及び第二連結具(３４)は管軸方向に延びる軸状部材であり、各軸状部材は、前記プランジャ(２３)に設けた管軸方向の貫通孔(３２)、(３５)に挿通されており、前記各軸状部材に前記貫通孔(３２)、(３５)に対して前記弁箱(１０)側と反対側にナット(３３)、(３６)がねじ込まれ、そのナット(３３)、(３６)により前記プランジャ(２３)の管軸方向の相対移動を規制することを特徴とする請求項１から３のいずれかに記載のバタフライ弁のシートリング形成方法。
【請求項５】
請求項１から４のいずれかに記載のバタフライ弁のシートリング形成方法に使用するシートリング形成用型枠装置であって、
バタフライ弁の弁箱(１０)内にその弁箱(１０)の管軸方向の両側から嵌められる第一金型(１７)と第二金型(１８)とを備え、前記第一金型(１７)及び第二金型(１８)は、これらの外面と前記弁箱(１０)の内面との間にシートリング形成用のキャビティ(２１)を形成するものであり、前記第一金型(１７)は、前記弁箱(１０)内に嵌めた状態で前記キャビティ(２１)につながり前記弁箱(１０)の外に開口する注入孔(２２)を有しており、前記注入孔(２２)の前記開口から前記注入孔(２２)内に管軸方向に抜き差し可能のプランジャ(２３)を設け、前記プランジャ(２３)は、前記注入孔(２２)に押し込まれることにより前記注入孔(２２)内に注入された未加硫のゴムを前記キャビティ(２１)に供給するものであり、前記第一金型(１７)には、その第一金型(１７)が前記弁箱(１０)から離れないように固定する共上がり防止治具(２４)と、前記第一金型(１７)と前記プランジャ(２３)とを管軸方向に相対移動可能に連結する第一連結具(３１)とが取り付け可能であり、前記第一連結具(３１)は、前記プランジャ(２３)を前記注入孔(２２)から引き出す際には前記第一金型(１７)に引っ張り力を作用させず、前記プランジャ(２３)を前記注入孔(２２)から引き出して前記共上がり防止治具(２４)による固定を解除した後、さらに前記プランジャ(２３)を引っ張ることにより、前記第一金型(１７)に引っ張り力を作用させるシートリング形成用型枠装置。
【請求項６】
前記プランジャ(２３)は、そのプランジャ(２３)と前記弁箱(１０)とを管軸方向に相対移動可能に連結する第二連結具(３４)が取り付け可能であり、前記第二連結具(３４)は、前記プランジャ(２３)を前記弁箱(１０)から引き出す方向に引っ張ることにより、前記第一金型(１７)を前記弁箱(１０)から引き出した後、さらに前記プランジャ(２３)を前記弁箱(１０)から引き出す方向に引っ張ることにより、前記弁箱(１０)に引っ張り力を作用させる請求項５に記載のシートリング形成用型枠装置。
【発明の詳細な説明】
【技術分野】
【０００１】
この発明は、水道などの管路に据え付けられるバタフライ弁のシートリング形成方法及びそのバタフライ弁のシートリング形成用型枠装置に関する。
【背景技術】
【０００２】
一般に、バタフライ弁は、水道などの管路に据え付けられる開閉バルブであり、その構造は、この発明の実施形態の説明図である図１、図２に示すように、円筒形の弁箱１０内に管軸に対して直角方向に弁軸１１を貫通させ、その弁軸１１に所謂蝶形の弁体１２を取り付けたものである。
【０００３】
弁箱１０の上部には、その弁箱１０を内外に貫通する上部弁軸支持部１４が、また、弁箱１０の下部にはその弁箱１０を内外に貫通し、下端にボトムカバー１６を嵌めた下部弁軸支持部１５が設けられる。その各上下弁軸支持部１４、１５内にブッシュやライナー等を介して前記弁軸１１が軸周り回転可能に嵌められている。
【０００４】
また、弁箱１０の管路の内面には、環状のゴムからなるシートリング１３が設けられている。弁軸１１の軸周りとともに弁体１２が回転し、その弁体１２の周縁部１２ａがシートリング１３に接離して前記管路が開閉される（図２（ａ）、（ｂ）参照）。
【０００５】
前記シートリング１３は、弁箱１０の内面に鋳込み成形により形成される場合がある。鋳込み成形をすることにより、上下の各弁軸支持部１４、１５付近での複雑な形状に対応させるとともに、弁体１２の閉じた際、弁体１２の周縁部１２ａと隙間なく適合させるようにしている。
【０００６】
前記シートリング１３の鋳込み成形には、例えば、図１０に示すシートリング形成用型枠装置が使用される。このシートリング形成用型枠装置は、前記弁箱１０内に管軸方向（図１０中での上下方向）両側から嵌め合わされる第一金型１７及び第二金型１８と、上下弁軸支持部１４、１５内のそれぞれに嵌め合わされる弁軸支持部用金型１９、２０とを備え、その第一金型１７、第二金型１８及び弁軸支持部用金型１９、２０の外面と弁箱１０の内面との間にシートリング形成用のキャビティ２１を形成するものである。
【０００７】
前記第一金型１７は、その第一金型１７を弁箱１０内に嵌め合わせた状態で、その上面に前記キャビティ２１に湯道を介してつながる管軸方向の注入孔２２を備えており、この注入孔２２が上方の弁箱１０外に開口する。この注入孔２２の開口から注入孔２２内に管軸方向に抜き差し可能なプランジャ２３を設け、このプランジャ２３は、注入孔２２内に押し込まれることにより、注入孔２２内に注入された未加硫のゴムＧを前記キャビティ２１内に供給するものである。
【０００８】
このように構成されたシートリング形成用型枠装置を、プレス装置内に設置して、このプレス装置のスライダによりプランジャ２３を第一金型１７の注入孔２２内に管軸方向に押し込む（図１１参照）。これにより、注入孔２２内の未加硫ゴムＧがキャビティ２１に圧入される。その後、弁箱１０に第一金型１７、第二金型１８及びプランジャ２３等を嵌めた状態で、加硫工程へ送られ、所定の加硫処理を施してシートリング１３が形成される（特許文献１参照）。
【特許文献１】特開２００１−９９３３４号公報
【０００９】
シートリング１３の鋳込み成形後、プランジャ２３を押し込んだ第一、第二金型１７、１８を嵌め合わせた状態の弁箱１０を前記プレス成形機から搬出する。その後、図１１に示すように、プランジャ２３と弁箱１０の上側開口端との間の周方向に、複数の油圧ジャッキを配置し、それらの各油圧ジャッキをそれぞれ別々に操作する。この操作により、その油圧ジャッキがプランジャ２３を持ち上げて（矢印ａ参照）、プランジャ２３を第一金型１７から取り外す。
【００１０】
次に、図１２に示すように、第一金型１７に金型抜き取り治具２５を連結し、その金型抜き取り治具２５と弁箱１０の上側開口端との間の周方向に、複数の油圧ジャッキを配置する。それらの油圧ジャッキをそれぞれ別々に操作して、第一金型１７に連結した金型抜き取り治具２５を持ち上げ（矢印ｂ参照）、第一金型１７を弁箱１０から取り外す。
【００１１】
続いて、第二金型１８と弁箱１０の下側開口端との間の周方向に、複数の油圧ジャッキを配置し、それらの油圧ジャッキをそれぞれ別々に操作して、弁箱１０を持ち上げて（図１３中の矢印ｃ参照）、弁箱１０を第二金型１８から取り外す。
【００１２】
このようにして、弁箱１０から第一、第二金型１７、１８が取り外され、弁箱１０内にシートリング１３の鋳込み成形作業が完了する。
【発明の開示】
【発明が解決しようとする課題】
【００１３】
しかし、上述のシートリング１３の鋳込み成形において、プランジャ２３、第一金型１７、及び弁箱１０をそれぞれ取り外すには、複数の油圧ジャッキを使用し、それらの油圧ジャッキをそれぞれ別々に操作するため、また、プランジャ２３、第一金型１７、及び弁箱１０を取り外す各工程で、各油圧ジャッキを配置する位置（図１１〜図１３中の矢印ａ、ｂ、ｃ参照）が異なるため、油圧ジャッキの設置、操作、後片付けに時間がかかり、プランジャ２３等の取り外し作業の作業性が悪い。
【００１４】
また、プランジャ２３等の取り外しの際、上述のように、これらの部材を弁箱１０の開口端縁の周方向に複数の油圧ジャッキを配置し、それらの各ジャッキをそれぞれ別々に操作することにより持ち上げている。このため、各油圧ジャッキの管軸方向の押し上げ長さ（持ち上げ長さ）がばらついてしまうと、プランジャ２３等の抜き出し方向が弁箱１０の管軸方向に対して傾き、プランジャ２３等のそれぞれの部材同士が焼き付いて（こじて）しまい、その部材の抜き出しが困難となる。また、その焼き付きが発生すると、第一、第二金型１７、１８に手直しが必要となり、取り出し作業にさらに時間がかかる。
【００１５】
さらに、プランジャ２３を第一金型から引き外す際、プランジャ２３と第一金型１７とが固着していれば、第一金型１７がプランジャ２３の引き出しにより、共上がりして弁箱１０から浮き上がることが考えられる。この場合、この浮き上がる第一金型１７が途中で落下して弁箱１０内のシートリング１３を傷つけるおそれがあった。
【００１６】
そこで、この発明は、バタフライ弁の弁箱内へのシートリングを形成する際の作業性を向上させることを課題とする。
【課題を解決するための手段】
【００１７】
前記の課題を解決するために、この発明のバタフライ弁のシートリング形成方法としては、バタフライ弁の弁箱内にその弁箱の管軸方向の両側から第一金型と第二金型とを嵌め、前記弁箱の内面と前記第一金型及び第二金型の外面との間にシートリング形成用のキャビティを形成し、前記第一金型及び第二金型を前記弁箱内に嵌めた状態で、前記第一金型に前記キャビティにつながり前記弁箱の外に開口する注入孔を設け、その注入孔の前記開口からその内部に向かって抜き差し可能なプランジャを設け、前記注入孔に未加硫のゴムを注入して、前記プランジャを前記注入孔に押し込み、前記キャビティ内に未加硫のゴムを供給し、その供給したゴムを加硫することにより、シートリングを形成し、その後、前記第一金型及び第二金型を前記弁箱から引き外すバタフライ弁のシートリング形成方法において、
前記シートリング形成後、前記第一金型を前記弁箱から離れないように共上がり防止治具で固定し、前記プランジャと前記第一金型とを第一連結具を介して管軸方向に相対移動可能に連結し、前記プランジャを前記弁箱から引き外す方向に引っ張ることにより、前記注入孔から前記プランジャを引き出し、前記共上がり防止治具の固定を解除し、前記プランジャを前記弁箱から引き外す方向にさらに引っ張ることにより前記第一連結具を介して前記第一金型を前記弁箱から引き外し、その後、前記弁箱を前記第二金型から引き外す方向に引っ張ることにより、その弁箱を前記第二金型から引き外す構成を採用したのである。
【００１８】
この構成によると、プランジャを弁箱から引き外す方向に引っ張れば、プランジャが注入孔から引き出され、さらにプランジャを弁箱から引き外す方向に引っ張ることで、第一連結具を介して第一金型が弁箱から引き外される。これにより、プランジャに続いて、第一金型が弁箱から引き外されるので、第一金型を弁箱から引き外す際に使用していた油圧ジャッキが不要となり、その引き出し作業の作業性が向上する。
【００１９】
また、プランジャを第一金型から引き出す際、第一金型を弁箱から離れないように共上がり防止治具で固定するので、プランジャの弁箱から引き外す方向への引っ張りにより、第一金型が共上がりしない。このため、その第一金型が弁箱内に形成されたシートリングを傷つけることを防止できる。
【００２０】
さらに、プランジャと第一金型とを第一連結具を介して管軸方向に相対移動可能に連結しているので、第一金型の注入孔にプランジャを押し込む方向と、第一金型の注入孔からプランジャを引き出す方向とが同じ方向（管軸方向）となり、プランジャを引き出す際、プランジャと第一金型との間の焼き付き（こじり）を防止する。
【００２１】
この場合と同様に、プランジャと第一金型とを第一連結具を介して管軸方向に相対移動可能に連結しているので、第一金型を弁箱に嵌める方向と、プランジャの引っ張りにより第一連結具を介して第一金型を弁箱から引き外す方向とが同じ方向（管軸方向）となり、第一金型を引き外す際、第一金型と弁箱との間の焼き付き（こじり）を防止する。
【００２２】
また、前記プランジャと前記弁箱とを第二連結具で管軸方向に相対移動可能に連結し、前記第一金型を前記弁箱から引き外した後、前記プランジャを前記第二金型から引き外す方向に引っ張ることにより、前記第二連結具を介して前記弁箱を前記第二金型から引き外すようにした構成を採用することができる。
【００２３】
プランジャを第一金型から引き外す方向に引っ張れば、第二連結具を介して弁箱が第二金型から引き外す方向に引っ張られ、その弁箱が第二金型から引き外される。これにより、第一金型が弁箱から引き外されることに続いて、弁箱が第二金型から引き外されるので、弁箱の第二金型からの引き外し作業の際使用していた油圧ジャッキが不要となるため、その引き出し作業の作業性が向上する。
【００２４】
また、プランジャと弁箱とを第二連結具で管軸方向に相対移動可能に連結しているので、第二金型を弁箱に嵌める方向と、プランジャの引っ張りにより第二連結具を介して弁箱を第二金型から引き外す方向とが同じ方向（管軸方向）となり、弁箱を引き外す際、弁箱と第二金型との間の焼き付き（こじり）を防止する。
【００２５】
また、第一連結具に前記プランジャが前記注入孔から完全に抜け出ないように止めるストッパを設けると、プランジャに第一連結具を介して連結された第一金型がその注入孔内のプランジャによって支えられる。このため、プランジャの引っ張りによる第一金型の揺動を防止する。
【００２６】
さらに、第一連結具及び第二連結具は管軸方向に延びる軸状部材であり、各軸状部材は、前記プランジャに設けた管軸方向の貫通孔に挿通されており、前記各軸状部材に前記貫通孔に対して前記弁箱側と反対側にナットがねじ込まれ、そのナットにより前記プランジャの管軸方向の相対移動を規制する構成を採用することができる。このようにすると、プランジャの管軸方向の移動量を各軸状部材に対するナットの管軸方向の位置を変更することで容易に調節可能となる。また、軸状部材であれば、プランジャの弁箱から引き外す方向の引っ張りが容易にガイドされる。
【００２７】
この発明の実施形態のバタフライ弁のシートリング形成方法に使用するシートリング形成用型枠装置としては、バタフライ弁の弁箱内にその弁箱の管軸方向の両側から嵌められる第一金型と第二金型とを備え、前記第一金型及び第二金型は、これらの外面と前記弁箱の内面との間にシートリング形成用のキャビティを形成するものであり、前記第一金型は、前記弁箱内に嵌めた状態で前記キャビティにつながり前記弁箱の外に開口する注入孔を有しており、前記注入孔の前記開口から前記注入孔内に管軸方向に抜き差し可能のプランジャを設け、前記プランジャは、前記注入孔に押し込まれることにより前記注入孔内に注入された未加硫のゴムを前記キャビティに供給するものであり、前記第一金型には、その第一金型が前記弁箱から離れないように固定する共上がり防止治具と、前記第一金型と前記プランジャとを管軸方向に相対移動可能に連結する第一連結具とが取り付け可能であり、前記第一連結具は、前記プランジャを前記注入孔から引き出す際には前記第一金型に引っ張り力を作用させず、前記プランジャを前記注入孔から引き出して前記共上がり防止治具による固定を解除した後、さらに前記プランジャを引っ張ることにより、前記第一金型に引っ張り力を作用させる構成を採用することができる。
【００２８】
また、前記プランジャは、そのプランジャと前記弁箱とを管軸方向に相対移動可能に連結する第二連結具が取り付け可能であり、前記第二連結具は、前記プランジャを前記弁箱から引き出す方向に引っ張ることにより、前記第一金型を前記弁箱から引き出した後、さらに前記プランジャを前記弁箱から引き出す方向に引っ張ることにより、前記弁箱に引っ張り力を作用させる構成を採用することができる。
【００２９】
このようにすると、プランジャを引っ張り、第一金型を前記弁箱から引き出した後、さらにプランジャを引っ張ることにより、第二連結具を介して前記弁箱が管軸方向に引っ張られ、弁箱が第二金型から引き出される。
【００３０】
前記プランジャを注入孔から引き出す際に、前記第一金型がプランジャと共に持ち上がらないようにするための前記共上がり防止治具は、前記弁箱の内面に沿う押し付け板部と、その押し付け板部から前記弁箱の外径方向に延びてその弁箱の開口端縁に沿うフランジとからなり、前記押し付け板部により前記第一金型を前記弁箱から離れないように押し付けた状態で、前記フランジが前記弁箱の開口端縁に固定可能である構成を採用することができる。
【００３１】
このようにすると、共上がり防止治具は、押し付け板部で第一金型を下方に押し付けた状態で弁箱の開口端縁に固定することができ、共上がり防止治具の取り外し作業を、ゴム加硫後高温となっている弁箱内で行う必要がなくなり、安全に行うことができる。
【００３２】
また、共上がり防止治具の取り外し作業を安全に行うために、前記共上がり防止治具の押し付け板部が、前記弁箱の内面全周に沿う円筒状に形成された構成を採用してもよい。
【発明の効果】
【００３３】
以上のように、この発明は、プランジャを引っ張ることにより、第一、第二連結具を介して第一金型、弁箱が引っ張られるので、第一、第二金型を弁箱から引き外す作業の作業性を向上させることができる。
【発明を実施するための最良の形態】
【００３４】
以下、この発明の実施形態を図面に基づいて説明する。この実施形態のバタフライ弁は、図１示すように、円筒状の弁箱１０内にその管軸に対して直交方向に弁軸１１を貫通させ、その弁軸１１に弁体１２が取り付けられている。
【００３５】
この弁箱１０は、図２（ａ）に示すように、その内面全周に弁軸１１の回転とともに弁体１２の周縁部１２ａが接離するシートリング１３が設けられている。シートリング１３は、弁箱１０の内面全周に設けられた溝に沿って、後述する方法によって接着成形（鋳込み形成）されたものである。シートリング１３の素材であるゴム組成物が、弁箱１０内面の溝内に入り込んだ状態で鋳込まれるので、弁箱１０からシートリング１３の脱落を防止できる。また、シートリング１３の管軸方向の両側縁は弁箱１０の開口縁に至らない内側にあり、その位置は、作業性とシール性を考慮して適宜選定される。
【００３６】
シートリング１３の内径面は、図２（ｂ）に示すように、弁軸１１の軸心に対して弁箱１０の筒軸（管軸）方向に線対称となっており、その上部および下部に前記弁軸１１が挿通可能な孔がそれぞれ形成されている。
【００３７】
また、前記弁箱１０の上部および下部には、それぞれ弁箱１０を内外に貫通する上部弁軸支持部１４及び下部弁軸支持部１５が同一軸上に設けられおり、その各弁軸支持部１４、１５の内周面は円筒面となっている。
【００３８】
その下部弁軸支持部１５の底部には、ボトムカバー１６が嵌められ、このボトムカバー１６と弁箱１０とが、下部弁軸支持部１５の内周部全周に接するパッキンにより水密に保持されている。
【００３９】
弁軸１１は、前記各弁軸支持部１４、１５内、及び前記シートリング１３の上下各孔内に挿入され、その弁軸１１の上端が上部弁軸支持部１４から弁箱１０外に突き出している。また、その弁軸１１の下端に設けた円柱状のライナが前記ボトムカバー１６の上面に形成した断面円形の凹部に嵌り軸周りに回転可能に支持されている。
【００４０】
このシートリング１３の鋳込み成形には、図３に示すシートリング形成用型枠装置を使用する。このシートリング形成用型枠装置は、管軸方向が上下方向となるように配置される弁箱１０内にその管軸方向（図３中での上下方向）両側から嵌め合わされる第一金型１７及び第二金型１８と、上下弁軸支持部１４、１５内のそれぞれに嵌め合わされる弁軸支持部用金型１９、２０とを備える。その第一金型１７、第二金型１８及び弁軸支持部用金型１９、２０の外面と弁箱１０の内面との間にシートリング形成用のキャビティ２１を形成するものである。
【００４１】
第一金型１７は、その一端面に、弁箱１０内に嵌め合わせた状態で前記キャビティ２１に湯道を介してつながる管軸方向の注入孔２２を備えており、この注入孔２２が上方の弁箱１０外に開口する。この注入孔２２の開口から注入孔２２内に管軸方向に抜き差し可能なプランジャ２３を設ける。
【００４２】
前記プランジャ２３は、中央部に孔を有する上下２枚の円板の間に円筒体を設けたヘッド部２８と、このヘッド部２８から弁箱１０の管軸方向下向きに突き出る円筒状のラム２９とからなる。このラム２９が、前記注入孔２２の開口から注入孔２２内に管軸方向に抜き差し可能に設けられる。
【００４３】
この第一金型１７とプランジャ２３のヘッド部２８とが、複数の第一連結具３１により管軸方向に相対移動可能に連結されている。その各第一連結具３１は、管軸方向に延びる軸状部材であり、その下端部が前記第一金型１７の上端面に固定され、その上端部がプランジャ２３のヘッド部２８に設けた管軸方向の貫通孔３２に挿通されている。その第一連結具３１に、貫通孔３２に対して弁箱１０側と反対側（図３中での上側）にナット３３がねじ込まれる。このナット３３は、前記プランジャ２３のラム２９が注入孔２２から完全には抜け出ないように止めるストッパとして働き、そのナット３３によりプランジャ２３の管軸方向の相対移動を規制する。
【００４４】
また、第一連結具３１は、前記プランジャ２３が第一金型１７の注入孔２２内に押し込まれた状態で、第一連結具３１のナット３３とプランジャ２３のヘッド部２８間の長さＬ１が、第一金型１７の注入孔２２の軸方向の深さＤよりも短く設定されている（図４参照）。
【００４５】
前記プランジャ２３と前記弁箱１０とが、複数の第二連結具３４により管軸方向に相対移動可能に連結されている。その各第二連結具３４は、管軸方向に延びる軸状部材であり、その下端部が弁箱１０の上側開口端縁に設けた管軸方向の貫通孔に挿通され、第二連結具３４に上側開口端縁を挟むように上下ナットがねじ込まれ、第二連結具３４と弁箱１０が固定される。
【００４６】
この第二連結具３４の上端部がプランジャ２３のヘッド部２８に設けた管軸方向の貫通孔３５に挿通されている。その第二連結具３４に貫通孔３５に対して弁箱１０側と反対側（図３中での上側）にナット３６がねじ込まれ、そのナット３６によりプランジャ２３の管軸方向の相対移動を規制する。
【００４７】
また、前記プランジャ２３が第一金型１７の注入孔２２内に押し込まれた状態で、前記第二連結具の、ナット３６とプランジャ２３のヘッド部２８間の長さＬ２が、第一連結具３２の、ナット３３とプランジャ２３のヘッド部２８間の長さＬ１よりも長く設定されている。
【００４８】
また、弁箱１０に嵌める第二金型１８は、この第二金型１８を支持する台座２６が一体に設けられ、この台座２６と弁箱１０の下側開口端縁とが固定具２７により固定される。この固定具２７は、管軸方向に延びる軸状部材であり、その上端部が弁箱１０の下側開口端縁に設けた管軸方向の貫通孔に挿通され、固定具２７に弁箱１０の下側開口端縁を挟むように上ナット３０及び下ナット３９がねじ込まれて、下側開口端縁が固定具２７に固定される。また、固定具２７の下端部を台座２６にねじ込まれて台座２６に固定される。
【００４９】
次に、上述のシートリング形成用型枠装置を使用してシートリング１３の形成方法を説明する。
まず、第一金型１７の注入孔２２に未加硫のゴムＧを充填し、図８に示すように、シートリング形成用型枠装置１をプレス装置４０のステージ４１上に設置し、プレス装置４０のメインシリンダ４２で上下移動可能に設けられたスライダ４３によりプランジャ２３を管軸方向の下方に押し下げる（図４参照）。
【００５０】
このプランジャ２３が、図８に示すプレス装置４０のスライダ４３に押し付けられて、そのラム２９が第一金型１７の注入孔２２内に押し込まれることにより、注入孔２２内に注入された未加硫のゴムＧを湯道を介してキャビティ２１内に供給する。未加硫ゴムＧが圧入された状態で、所定の加硫工程を経てシートリング１３が鋳込み形成される。
【００５１】
前記弁箱１０内にシートリング１３を鋳込み成形した後、シートリング形成用型枠装置１をプレス装置４０のステージ４１上に設置した状態のまま、そのプレス装置４０に設けた複数の上部クランプ４４でプランジャ２３のヘッド部２８を固定し、プレス装置４０のステージ４１に設けた複数の下部クランプ４５で第二金型１８の台座２６を固定する。
【００５２】
各上部クランプ４４は、図８に示すように、プレス装置４０の上部に設けた引き上げシリンダ４６によって支柱４７に沿って上下方向（弁箱１０の管軸方向）に移動可能となっており、それぞれの上部クランプ４４は、その上下方向の移動速度が同期し、ステージ４１の上面に対する上下方向の位置が揃っている。
【００５３】
続いて、弁箱１０の上側加工端縁の周方向の複数箇所に、弁箱１０から第一金型１７が離れないように共上がり防止治具２４を固定する。
【００５４】
この各共上がり防止治具２４は、第一金型１７および第二金型１８を相互にねじ結合するボルトであってもよいが、図９（ａ）に示すように、弁箱１０の内周面に沿う断面円弧状の押し付け板部３８と、この押し付け板部３８から外径方向に突出するフランジ３７とから形成してもよい。このように形成した共上がり防止治具２４は、その押し付け板部３８を弁箱１０の内周面に沿わせ、その押し付け板部３８により第一金型１７を弁箱１０から離れないように押し付ける。この押し付け状態で、フランジ部３７に設けられた貫通孔と、弁箱１０の上側開口端縁に設けた孔（図示省略）とにボルトを挿通してナットにより弁箱１０の開口端縁に固定する。これにより、共上がり防止治具２４の固定及び取り外し作業を、ゴム加硫後高温となっている弁箱１０内で行う必要がなくなり、安全に行うことができる。
【００５５】
なお、共上がり防止治具２４は、その押し付け板部３８を、図９（ｂ）に示すように、円環状に形成した円環部としてもよい。この共上がり防止治具２４のフランジ３７外周部には、複数の切り欠き４８が等間隔に設けられている。この共上がり防止治具２４を弁箱１０の開口端縁に固定する際、その切り欠き４８に第二連結具３４を嵌める。これにより、その第二連結具３４により共上がり防止治具２４が案内され、共上がり防止治具２４の管軸方向の移動が円滑に行われるので、共上がり防止治具２４の固定及び取り外し作業の作業性が良い。
【００５６】
この共上がり防止治具２４を固定した後、図５に示すように、プレス装置４０の上部クランプ４４に固定したプランジャ２３のヘッド部２８を、引き上げシリンダ４６により管軸方向（プランジャ２３を弁箱１０から引き出す方向）に、第一連結具３１のナット３３にプランジャ２３のヘッド部２８が突き当たるまで引き上げる。このプランジャ２３の引き上げの際、プランジャ２３が第一連結具３１により管軸方向に移動可能であるため、第一金型１７に引っ張り力を作用させない。この引き上げにより、第一金型１７の注入孔２２からプランジャ２３のラム２９が引き出される。
【００５７】
このとき、上述のように、第一連結具３１のナット３３とプランジャ２３のヘッド部２８間の長さＬ１が、第一金型１７の注入孔２２の軸方向の深さＤよりも短く設定されている（図４参照）。このため、プランジャ２３のラム２９は、プランジャ２３のヘッド部２８が第一連結具３１のナット３３に突き当たった状態では、第一金型１７の注入孔２２から完全には抜け出ない。これにより、ラム２９が注入孔２２内で支えられ、第一金型１７を弁箱１０から引き外した際、プランジャ２３の引っ張りによる第一金型１７の揺動を防止することができる。
【００５８】
続いて、図６に示すように、共上がり防止治具２４を取り外して、プランジャ２３のヘッド部２８を、引き上げシリンダ４６により第二連結具３４のナット３６にヘッド部２８が突き当たるまでさらに引き上げる。この引き上げにより、第一金型１７に第一連結具３１を介して引っ張り力が作用して、第一金型１７を弁箱１０から引き外す。
【００５９】
このように、プランジャ２３をプレス装置４０により管軸方向上向きに引っ張れば、そのプランジャ２３のラム２９が第一金型１７の注入孔２２から引き出される。さらにプランジャ２３を引っ張ることにより、第一連結具３１を介して第一金型１７を弁箱１０から引き外すことができる。このため、従来、第一金型１７の弁箱１０からの引き外し作業に使用していた油圧ジャッキが不要となり、その引き出し作業の作業性が向上する。
【００６０】
次に、図７に示すように、固定具２７の弁箱１０の下側開口縁を固定する上ナット３０を外し、プランジャ２３のヘッド部２８を、引き上げシリンダ４６により管軸方向に引き上げる。プランジャ２３のヘッド部２８と弁箱１０の開口端縁部とが第二連結具３４で連結されているので、プランジャ２３の引き上げにより、その第二連結具３４を介して弁箱１０を引き上げて、その弁箱１０を第二金型１８から引き外す。
【００６１】
この弁箱１０の第二金型１８からの引き外しが、第一金型１７の弁箱１０からの引き外しと同様、プランジャ２３のプレス装置４０による引き上げで行われるので、従来の弁箱１０の第二金型１８からの引き外し作業に使用していた油圧ジャッキが不要となり、その引き外し作業の作業性が向上する。
【００６２】
以上のようにして、弁箱１０から第一、第二金型１７、１８が取り外され、弁箱１０内にシートリング１３の鋳込み成形が完了する。
【００６３】
なお、この実施形態のシートリング形成方法において使用されるシートリング形成用型枠装置は、第一連結具３１および第二連結具３４を設けたものであるが、第一連結具３１のみを設けたものであってもよい。この場合、プランジャ２３の引き上げにより、第一金型１７を弁箱１０から引き外す作業の作業性を向上させることが可能となる。
【図面の簡単な説明】
【００６４】
【図１】この発明の実施形態のバタフライ弁の斜視図
【図２】（ａ）同上のバタフライ弁の側面図、（ｂ）同上のバタフライ弁の断面図
【図３】同上のシートリングの形成方法を示す説明図
【図４】同上のプランジャを押し下げた状態を説明図
【図５】同上のプランジャを第一金型から引き出した状態を示す説明図
【図６】同上の第一金型を弁箱から引き出した状態を示す説明図
【図７】同上の弁箱を第二金型から引き出した状態を示す説明図
【図８】同上のシートリングの形成方法に使用するプレス装置の概略図
【図９】（ａ）同上の一の共上がり防止治具を示す斜視図、（ｂ）同上の他の共上がり防止治具を示す斜視図
【図１０】従来のシートリングの形成方法を示す説明図
【図１１】同上のプランジャを第一金型から引き出した状態を示す説明図
【図１２】同上の第一金型を弁箱から引き出す状態を示す説明図
【図１３】同上の弁箱を第二金型から引き出す状態を示す説明図
【符号の説明】
【００６５】
１  シートリング形成用型枠装置
１０  弁箱
１１  弁軸
１２  弁体
１２ａ  弁体周縁部
１３  シートリング
１４  上部弁軸支持部
１５  下部弁軸支持部
１６  ボトムカバー
１７  第一金型
１８  第二金型
１９  弁軸支持部用金型
２０  弁軸支持部用金型
２１  キャビティ
２２  注入孔
２３  プランジャ
２４  共上がり防止治具
２５  金型抜き取り治具
２６  台座
２７  固定具
２８  ヘッド部
２９  ラム
３０  上ナット
３１  第一連結具
３２  貫通孔
３３  ナット
３４  第二連結具
３５  貫通孔
３６  ナット
３７  フランジ
３８  押し付け板部
３９  下ナット
４０  プレス装置
４１  ステージ
４２  メインシリンダ
４３  スライダ
４４  上部クランプ
４５  下部クランプ
４６  引き上げシリンダ
４７  支柱
４８  切り欠き
Ｇ  未加硫ゴム
【図１】
2008298190.tif 000003
【図２】
2008298190.tif 000004
【図３】
2008298190.tif 000005
【図４】
2008298190.tif 000006
【図５】
2008298190.tif 000007
【図６】
2008298190.tif 000008
【図７】
2008298190.tif 000009
【図８】
2008298190.tif 000010
【図９】
2008298190.tif 000011
【図１０】
2008298190.tif 000012
【図１１】
2008298190.tif 000013
【図１２】
2008298190.tif 000014
【図１３】
2008298190.tif 000015